(57)【要約】【課題】大きさ寸法の増大を招くことなく光学部材を適切に支持することのできる撮像ユニットを提供する。【解決手段】撮影光学系１２から撮像素子２２に至る撮影光路上に光学部材（３１）を設ける撮像ユニット３０である。撮像素子２２が取り付けられる固定部材４０と支持部材５０とで光学部材を支持し、固定部材４０は、光学部材を受け入れる受入凹所４３を有し、支持部材５０は、固定部材４０に固定される枠部（５１、５２）と、撮影光軸ＯＡ方向へと弾性変形可能に枠部から伸びる光軸方向弾性部５３と、撮影光軸ＯＡに直交する方向へと弾性変形可能に枠部から伸びる直交方向弾性部（５４、５５）と、を有し、光軸方向弾性部５３は、光学部材が受入凹所４３に配された状態において、支持部材５０側から光学部材を押し、直交方向弾性部は、光学部材が受入凹所４３に配された状態において、撮影光軸ＯＡに直交する方向から光学部材を押す。【選択図】図１０
2014056224.tif 000002
【特許請求の範囲】
【請求項１】
撮影光学系から撮像素子に至る撮影光路上に光学部材を設ける撮像ユニットであって、
前記撮像素子が取り付けられる固定部材と、前記光学部材を前記固定部材との間で支持する支持部材と、を備え、
前記固定部材は、撮影光軸方向で前記光学部材と当たることを可能としつつ撮影光軸に直交する方向で該光学部材を取り囲んで該光学部材を受け入れる受入凹所を有し、
前記支持部材は、前記光学部材に適合する環状を呈し前記固定部材に固定される枠部と、該枠部に対して撮影光軸方向へと弾性変形可能に該枠部から伸びる少なくとも１つの光軸方向弾性部と、前記枠部に対して撮影光軸に直交する方向へと弾性変形可能に該枠部から伸びる少なくとも１つの直交方向弾性部と、を有し、
前記光軸方向弾性部は、前記光学部材が前記受入凹所に配された状態において、前記支持部材側から前記光学部材を押し、
前記直交方向弾性部は、前記光学部材が前記受入凹所に配された状態において、撮影光軸に直交する方向から前記光学部材を押すことを特徴とする撮像ユニット。
【請求項２】
前記光軸方向弾性部は、撮影光軸に直交する方向で見て、前記光学部材の重心を挟んで対向して前記枠部の少なくとも２箇所に設けられていることを特徴とする請求項１に記載の撮像ユニット。
【請求項３】
前記光軸方向弾性部は、撮影光軸に直交する方向で見て、前記受入凹所に配された前記光学部材へと当てられる箇所が前記光学部材の重心を取り囲むように前記枠部の３箇所に設けられていることを特徴とする請求項２に記載の撮像ユニット。
【請求項４】
前記光軸方向弾性部は、撮影光軸に直交する方向で見て、前記受入凹所に配された前記光学部材へと当てられる箇所が前記光学部材の重心を通る直線上に存在するように前記枠部の２箇所に設けられていることを特徴とする請求項２に記載の撮像ユニット。
【請求項５】
前記支持部材は、前記光軸方向弾性部における前記枠部から伸びる基端部分の近傍位置が前記固定部材に固定されていることを特徴とする請求項１から請求項４のいずれか１項に記載の撮像ユニット。
【請求項６】
前記直交方向弾性部は、前記枠部に対して撮影光軸に直交する第１方向へと弾性変形可能に前記枠部から伸びる第１直交方向弾性部と、前記枠部に対して撮影光軸および前記第１方向に直交する第２方向へと弾性変形可能に前記枠部から伸びる第２直交方向弾性部と、を有することを特徴とする請求項１から請求項５のいずれか１項に記載の撮像ユニット。
【請求項７】
前記光軸方向弾性部は、前記受入凹所に配された前記光学部材へと当てられる箇所として、先端部分から撮影光軸方向へと突出する押当箇所を有し、
該押当箇所は、少なくとも突出端部が撮影光軸方向を含む断面で見て半円形状であることを特徴とする請求項１から請求項６のいずれか１項に記載の撮像ユニット。
【請求項８】
前記枠部には、前記受入凹所に配されて弾性変形された前記光軸方向弾性部と前記直交方向弾性部とが宛がわれた前記光学部材の前記裏面と、撮影光軸方向で間隔を置きつつ対向するストッパが設けられていることを特徴とする請求項１から請求項７のいずれか１項に記載の撮像ユニット。
【請求項９】
請求項１から請求項８のいずれか１項に記載の撮像ユニットを搭載したことを特徴とする撮像装置。
【請求項１０】
請求項１から請求項８のいずれか１項に記載の撮像ユニットを搭載したことを特徴とする電子機器。
【発明の詳細な説明】
【技術分野】
【０００１】
本発明は、撮像素子に至る撮影光路に光学部材を設ける撮像ユニットに関する。
【背景技術】
【０００２】
撮像装置では、撮影光学系を通して被写体像を撮像素子（ＣＣＤ等）に受光させる撮像ユニットを搭載し、その撮像素子からの画像信号に基づいて被写体像に対応したデジタル画像を生成するデジタルカメラがある。このようなデジタルカメラでは、撮影光学系から撮像素子に至る撮影光路上に光学部材としてのローパスフィルタを設けるものがある。
【０００３】
そのようなものとしては、ローパスフィルタに押し当てる押圧部を構成する枠部と、その枠部（押圧部）から撮影光軸と直交する方向に張り出された弾性変形部と、を有する弾性支持部材を用いて、ローパスフィルタおよび撮像素子を固定部（ベース）に取り付ける構成とすることが考えられている（特許文献１参照）。このものでは、弾性支持部材の押圧部にローパスフィルタを押して当てるとともに、そのローパスフィルタと固定部とで撮像素子を挟む位置関係としつつ弾性支持部材の弾性変形部を固定部とに固定することにより、ローパスフィルタおよび撮像素子を固定部に一体的に固定することができる。その弾性支持部材の枠部には、撮影光軸に直交する面に沿う方向において、ローパスフィルタの長手方向に位置決めするための一対の位置決め部と、その長手方向と直交する方向に位置決めするための一対の位置決め部と、が設けられており、ローパスフィルタを適切な位置で固定部に取り付けることができる。
【発明の概要】
【発明が解決しようとする課題】
【０００４】
しかしながら、上記した従来の構成では、弾性変形部により弾性支持部材を固定部に取り付ける構成であることから、押圧部（枠部）に押し当てたローパスフィルタとともに枠部すなわち弾性支持部材や撮像素子を弾性変形部で支持する必要がある。このため、弾性変形部や当該弾性変形部の枠部（押圧部）への取り付け箇所の強度を確保する必要があるので、当該弾性変形部の厚さ寸法（大きさ寸法）の増加を招くとともにその取り付け箇所の厚さ寸法（大きさ寸法）の増大を招いてしまい、延いては撮像ユニットの大きさ寸法の増大を招いてしまう。
【０００５】
本発明は、上記の事情に鑑みて為されたもので、大きさ寸法の増大を招くことなく光学部材を適切に支持することのできる撮像ユニットを提供することを目的とする。
【課題を解決するための手段】
【０００６】
請求項１に記載の撮像ユニットは、撮影光学系から撮像素子に至る撮影光路上に光学部材を設ける撮像ユニットであって、前記撮像素子が取り付けられる固定部材と、前記光学部材を前記固定部材との間で支持する支持部材と、を備え、前記固定部材は、撮影光軸方向で前記光学部材と当たることを可能としつつ撮影光軸に直交する方向で該光学部材を取り囲んで該光学部材を受け入れる受入凹所を有し、前記支持部材は、前記光学部材に適合する環状を呈し前記固定部材に固定される枠部と、該枠部に対して撮影光軸方向へと弾性変形可能に該枠部から伸びる少なくとも１つの光軸方向弾性部と、前記枠部に対して撮影光軸に直交する方向へと弾性変形可能に該枠部から伸びる少なくとも１つの直交方向弾性部と、を有し、前記光軸方向弾性部は、前記光学部材が前記受入凹所に配された状態において、前記支持部材側から前記光学部材を押し、前記直交方向弾性部は、前記光学部材が前記受入凹所に配された状態において、撮影光軸に直交する方向から前記光学部材を押すことを特徴とする。
【発明の効果】
【０００７】
本発明に係る撮像ユニットでは、大きさ寸法の増大を招くことなく光学部材を適切に支持することができる。
【図面の簡単な説明】
【０００８】
【図１】本発明に係る一例としての撮像ユニット３０を搭載するデジタルカメラ１０の概略構成を示す説明図である。
【図２】デジタルカメラ１０における制御ブロックを示す説明図である。
【図３】本発明に係る一例としての撮像ユニット３０を前後方向後側から示す模式的な斜視図である。
【図４】本発明に係る一例としての撮像ユニット３０を模式的な断面で示す説明図である。
【図５】光学部材保持機構３２により固定部材４０と支持部材５０とでローパスフィルタ３１を支持する様子を示す模式的な斜視図である。
【図６】固定部材４０を示す図４と同様の模式的な斜視図である。
【図７】支持部材５０を前後方向前側から示す模式的な斜視図である。
【図８】支持部材５０の構成を説明するための説明図であり、（ａ）は前後方向後側から見た正面図で示し、（ｂ）は（ａ）に示すＩ−Ｉ線に沿って得られた断面図で示す。
【図９】固定部材４０の受入凹所４３にローパスフィルタ３１を挿入した状態を示す図４と同様の斜視図である。
【図１０】光学部材保持機構３２により固定部材４０と支持部材５０とでローパスフィルタ３１を支持する様子を説明するための説明図であり、（ａ）は前後方向後側から見た正面図で示し、（ｂ）は（ａ）に示すII−II線に沿って得られた断面図で示す。
【図１１】光学部材保持機構３２により固定部材４０と支持部材５０とでローパスフィルタ３１を支持する様子を、第２光軸方向弾性部５３２、第３光軸方向弾性部５３３および左右方向弾性部５４の周辺を拡大して示す模式的な斜視図である。
【図１２】実施例２の撮像ユニット３０Ａにおける光学部材保持機構３２Ａにより固定部材４０と支持部材５０Ａとでローパスフィルタ３１を支持する様子を前後方向後側から示す模式的な正面図である。
【発明を実施するための形態】
【０００９】
以下に、本発明に係る撮像ユニットおよびそれを搭載する撮像装置（電子機器）の各実施例について図面を参照しつつ説明する。
【実施例１】
【００１０】
本発明に係る撮像ユニットの一実施例である撮像ユニット３０、およびそれが搭載される撮像装置（電子機器）の一実施例としてのデジタルカメラ１０の構成を、図１から図１１を用いて説明する。以下の説明では、デジタルカメラ１０を基準として、後述する撮影光学系１２の撮影光軸（図１の矢印ＯＡ参照）方向を前後方向（被写体側が前方（Ｆ側））とし（矢印ＦＢ参照）、デジタルカメラ１０を正面視した高さ方向を上下方向とし（矢印ＵＤ参照（上側がＵ））、前後方向および上下方向を含む面に直交する方向を左右方向（デジタルカメラ１０を被写体側から正面視して左手が右側方向（Ｒ側）となる）とする（矢印ＬＲ参照）。
【００１１】
まず、撮像ユニット３０が搭載される撮像装置（電子機器）の一例としてのデジタルカメラ１０の概要を図１および図２を用いて説明する。デジタルカメラ１０は、図１に示すように、カメラ本体部１１の前面（図１を正面視して手前側の面）側に撮影光学系１２を有する撮像ユニット３０が設けられている。この撮影光学系１２は、図示は略すが、固定レンズ、ズームレンズ、シャッタユニットおよび絞りユニット等の複数の光学素子を備える。撮影光学系１２としての各光学素子は、撮像ユニット３０により撮影光学系１２の後述する撮影光軸ＯＡ方向に移動可能に保持される。その撮像ユニット３０は、撮影光学系１２の後述する撮影光軸ＯＡに沿って、所定の収納位置（沈胴収納状態（図１参照））と所定の繰出位置（撮影待機状態（図示せず））との間で進退移動（繰り出しおよび繰り入れ）可能とされている。撮像ユニット３０では、所定の収納位置と所定の繰出位置とで移行することにより、撮影光学系１２の各光学素子（図示せず）を所定のごとく移動させる。
【００１２】
カメラ本体部１１では、上面（図１を正面視して上側の面）に、操作部としての電源ボタン１３、シャッターボタン１４、モード切替ダイアル１５が設けられている。電源ボタン１３は、デジタルカメラ１０を動作状態とすべく起動するための操作（起動操作）と、デジタルカメラ１０を非動作状態とすべく停止するための操作（停止操作）と、をするために、上下方向の下方へと押し下げる操作をするものである。シャッターボタン１４は、被写体の撮影動作を実行するために、上下方向の下方へと押し下げる操作をするものである。モード切替ダイアル１５は、各種の撮影モード（各種の静止画モード、動画モード、シーンモード等）を設定するために、自身の内方に設定された回転軸を回転中心として回転（自転）させる操作をするものである。
【００１３】
また、カメラ本体部１１の背面には、図示は略すが、その他の操作スイッチ１６、表示部２４（その表示面）（図２参照）が設けられている。その操作スイッチ１６は、取得した画像の再生、方向の支持および決定、各メニュー等の設定のために操作される方向指示用スイッチや各種スイッチである。また、表示部２４は、液晶ディスプレイ等からなり、撮像された画像データや記録媒体に記録された画像データに基づき画像を表示する。
【００１４】
このデジタルカメラ１０は、図２に示すように、制御部２１と、撮像素子２２と、レンズ鏡胴駆動ユニット２３と、上述した表示部２４と、を有する。制御部２１は、操作部としての上述した電源ボタン１３、シャッターボタン１４、モード切替ダイアル１５および操作スイッチ１６に為された操作に基づく駆動処理や、撮像素子２２からの信号に基づく画像データの生成処理や、レンズ鏡胴駆動ユニット２３および表示部２４の駆動等の制御を、記憶部２１ａに格納されたプログラムにより統括的に行う。制御部２１は、撮影光学系１２（図４参照）を経て撮像素子２２で画像を取得し、その画像をカメラ本体部１１の後面側に設けられた表示部２４に適宜表示させる。撮像素子２２、レンズ鏡胴駆動ユニット２３および表示部２４には、制御部２１を介して、図示を略す電池から電力が供給され、それぞれの動作の実行が可能とされている。
【００１５】
撮像素子２２は、ＣＣＤ（電荷結合素子）イメージセンサやＣＭＯＳイメージセンサ等の固体撮像素子で構成されている。この撮像素子２２は、撮影光学系１２を通して受光面２２ａ上に結像された被写体像を電気信号（画像データ）に変換して出力する（図４参照）。その出力された電気信号（画像データ）は、制御部２１へと伝送される。
【００１６】
レンズ鏡胴駆動ユニット２３は、撮像ユニット３０を収納位置（図１参照）と繰出位置（図示せず）とで移行させることにより、撮影光学系１２の各光学素子を各々支持する光学素子保持枠（図示せず）を移動させる。
【００１７】
デジタルカメラ１０では、制御部２１がシャッターボタン１４に押下操作が為されたこと認識すると、撮影光学系１２を通して撮像素子２２の受光面２２ａ（図４参照）で受光した被写体像の画像データを記録処理する。また、デジタルカメラ１０では、制御部２１の制御下で、記録処理した画像データに基づく画像を表示部２４に適宜表示させることができる。制御部２１は、モード切替ダイアル１５の回転姿勢に応じた信号に応じて、各種の撮影モード（各種の静止画モード、動画モード、シーンモード等）の切り替えを実行する。
【００１８】
次に、デジタルカメラ１０に搭載された本発明に係る撮像ユニットの一実施例としての撮像ユニット３０の特徴部分の概略的な構成を、図３から図１１を用いて説明する。なお、図４では、理解容易のために、撮像ユニット３０における光学部材保持機構３２およびそこに関連して撮像素子２２が設けられる様子を断面で示すとともに、撮像ユニット３０における他の構成を簡略化して示している。また、図５、図９、図１０（ａ）および図１１では、理解容易のために、ローパスフィルタ３１にドットを付して示している。以下の説明では、個別の部材を説明する際にも撮像ユニット３０がデジタルカメラ１０に組み付けられた状態における各方向を用いて説明し、個別の部材を示す図６から図９でも同様の各方向を記している。
【００１９】
撮像ユニット３０は、明確な図示は略すがカメラ本体部１１内に収容されており、撮影光学系１２により形成される被写体像の適切な取得を可能とすべく、その撮影光学系１２が形成する撮影光路上に受光面２２ａを適切に存在させて撮像素子２２を保持するとともに、その撮影光路上であって撮影光学系１２から撮像素子２２へと至る間にローパスフィルタ３１を光学部材保持機構３２により保持する（図４等参照）。そのローパスフィルタ３１は、高周波成分をカットするために設けられる光学部材であり、実施例１では、薄板の直方体形状とされている（図４、図６および図１１等参照）。ローパスフィルタ３１は、後述するように、前後方向後側（撮影光軸ＯＡ方向で見て像面側の面）の裏面３１ａが撮像素子２２の受光面２２ａと撮影光軸ＯＡ方向で対向して支持されて（図４等参照）、撮像ユニット３０に設けられる。
【００２０】
その撮像ユニット３０は、実施例１では、図３および図４に示すように、全体に直方体形状を呈する固定枠３３に、可動筒部３４が所定の収納位置と所定の繰出位置とで移行することが可能に設けられて構成されている。その可動筒部３４は、明確な図示は略すが、光学素子保持部材を介して撮影光学系１２の複数の光学素子を保持しており、所定の収納位置と所定の繰出位置とで移行することにより、固定枠３３に対して各光学素子を進退させるべく後述する撮影光軸ＯＡ方向に移動させる。この明細書では、撮影光学系１２の各光学素子おける光学的な軸線、すなわち撮影光学系１２の中心軸位置となる各光学素子の回転対称軸を、撮影光学系１２すなわちデジタルカメラ１０の撮影光軸ＯＡとする。このように可動筒部３４により撮影光軸ＯＡ方向に移動可能に保持された撮影光学系１２は、撮像素子２２の受光面２２ａ上に被写体像を形成する。このため、固定枠３３および可動筒部３４の内方において、撮影光軸ＯＡに沿って撮影光学系１２から受光面２２ａ（撮像素子２２）に至る間が撮影光路となる。
【００２１】
その撮像素子２２は、図４に示すように、保持板３５で保持されており、その保持板３５が後述する固定部材４０を介して固定枠３３に取り付けられることにより、固定枠３３に設けられている。その保持板３５は、全体に平坦な板状を呈する。この保持板３５は、中央部分が前方側（撮影光軸ＯＡ方向の被写体側）へとずらすように屈曲変形されて形成された接着部３５ａを有する。その接着部３５ａは、保持板３５が基板３６の裏面側に配置された状態において、その基板３６の後述する取付開口３６ａを経て撮像素子２２の裏面２２ｂ（受光面２２ａとは反対側の面）に宛がうことが可能とされている。
【００２２】
その撮像素子２２は、基板３６に電気的に接続（実装）されている。その基板３６は、図示は略すがコンデンサや抵抗等の複数の電子部品が実装されており、電気的に接続されるメイン基板（図示せず）とともに上述した各構成（制御部２１等）の電子回路（図２参照）を構成する。基板３６には、実装された撮像素子２２の裏面２２ｂと対向する位置に、取付開口３６ａが設けられている。その取付開口３６ａは、基板３６の裏面側（撮像素子２２が実装される面とは反対側）から、保持板３５の接着部３５ａを撮像素子２２の裏面２２ｂに宛がうことを可能としている。
【００２３】
この撮像素子２２は、基板３６に実装された状態で、その取付開口３６ａを通じて保持板３５の接着部３５ａが裏面２２ｂに宛がわれ、その接着部３５ａが当該裏面２２ｂに接着されることにより、保持板３５に取り付けられる。これにより、保持板３５は、撮像素子２２が実装された基板３６と一体的に、撮像素子２２を保持することができる。この保持板３５は、固定部材４０に取り付けられる。
【００２４】
その固定部材４０は、撮影光学系１２から撮像素子２２へと至る撮影光路上に光学部材としてのローパスフィルタ３１を保持する光学部材保持機構３２を構成する。その光学部材保持機構３２は、図５に示すように、固定部材４０に加えて、支持部材５０と３つのネジ部材３７とによりローパスフィルタ３１を保持する。
【００２５】
その固定部材４０は、図６に示すように、全体に平坦な板状を呈し、貫通穴４１と、フランジ部４２と、受入凹所４３と、取付凹所４４と、３つのネジ穴４５と、２つの位置決め突起４６と、ズレ止め凹所４７と、を有する。その貫通穴４１は、板状の固定部材４０の中央を、左右方向に伸びる２辺と上下方向に伸びる２辺とを有する矩形状に前後方向（撮影光軸ＯＡ方向）に貫通して形成されている。貫通穴４１は、隙間３８（図９等参照）を設けつつローパスフィルタ３１を受け入れることが可能な大きさ寸法とされている。
【００２６】
フランジ部４２は、貫通穴４１の前後方向の前側（撮影光軸ＯＡ方向の被写体側）の端部から内側へ向けて突出された板状を呈し、貫通穴４１の全周に渡って設けられている。そのフランジ部４２は、内側への突出端で開口４８を規定している。その開口４８は、ローパスフィルタ３１の通り抜けを阻む大きさ寸法であって、後述するようにローパスフィルタ３１を撮像素子２２の前方（撮影光軸ＯＡ方向の被写体側）に取り付けた状態において、撮影光学系１２から撮像素子２２へと至る撮影光路を阻害することのない大きさ寸法とされている（図４等参照）。
【００２７】
このフランジ部４２と貫通穴４１とにより受入凹所４３が形成されている。この受入凹所４３は、撮影光軸ＯＡに直交する方向（上下方向および左右方向を含む面に沿う方向）が貫通穴４１により囲まれ、かつ前後方向の前側（撮影光軸ＯＡ方向の被写体側）の端部がフランジ部４２により規定されている。このため、受入凹所４３は、全体に直方体形状を呈し、前後方向の後側（撮影光軸ＯＡ方向の像面側）から後述する隙間３８を設けつつローパスフィルタ３１を受け入れることができるとともに（図９等参照）、受け入れたローパスフィルタ３１が前後方向の前側へと抜け落ちることを防止することができる。
【００２８】
その受入凹所４３すなわち貫通穴４１の前後方向の後側（撮影光軸ＯＡ方向の像面側）の端部に連続して取付凹所４４が設けられている。その取付凹所４４は、固定部材４０の前後方向の後側の後面における貫通穴４１（受入凹所４３）の左右方向の両側と上下方向の下側とを、前後方向の前側に凹ませて形成されている。取付凹所４４は、支持部材５０の後述する嵌込辺部５２（図７等参照）を受け入れることが可能な大きさ寸法および形状とされている。
【００２９】
３つのネジ穴４５は、ネジ部材３７（図５等参照）を固定するために設けられている。各ネジ穴４５は、固定部材４０における取付凹所４４を、前後方向の前側に凹ませて形成されており、その内周面にネジ溝が設けられている。この各ネジ穴４５（そのネジ溝）は、ネジ部材３７の後述する軸部３７ｂ（そのネジ山（図５参照））との噛み合いが可能とされている。３つのネジ穴４５は、後述する支持部材５０の３つの取付穴５６（図７等参照）に対応する位置に設けられている。
【００３０】
２つの位置決め突起４６は、固定部材４０における取付凹所４４から、前後方向の後側へ向けて撮影光軸ＯＡ方向（前後方向）に伸長する棒状を呈する。各位置決め突起４６は、支持部材５０の後述する位置決め穴５７（図７等参照）への挿入が可能な大きさ寸法とされている。
【００３１】
ズレ止め凹所４７は、両位置決め突起４６との協働により、固定部材４０に対する支持部材５０すなわちローパスフィルタ３１の位置ずれを防止するものである。このズレ止め凹所４７は、受入凹所４３すなわち貫通穴４１の周囲において、取付凹所４４が設けられていない上下方向の上側に設けられている。ズレ止め凹所４７は、固定部材４０を前後方向の前側に凹ませて形成されており、前後方向（撮影光軸ＯＡ方向）で見ると、上下方向で下側（貫通穴４１側）に向かうに連れて左右方向の幅寸法を大きくする台形状を呈している。このズレ止め凹所４７は、支持部材５０の後述するズレ止め突起５８（図７等参照）を受け入れることが可能な大きさ寸法および形状とされている。
【００３２】
このように構成された固定部材４０と協働してローパスフィルタ３１を支持するために、支持部材５０を用いる。その支持部材５０は、図７および図８に示すように、全体に平坦な板状の部材の中央が矩形状に貫通されて形成された枠状を呈し、押当辺部５１と、嵌込辺部５２と、３つの光軸方向弾性部５３と、左右方向弾性部５４と、上下方向弾性部５５と、３つの取付穴５６と、２つの位置決め穴５７と、ズレ止め突起５８と、を有する。
【００３３】
押当辺部５１は、所定の幅寸法および厚さ寸法の帯状箇所が上下方向および左右方向に沿って長方形状に伸びて形成されており、内方に長方形状の開口５９を規定している。この押当辺部５１は、その開口５９で全体に枠状の支持部材５０における内周縁部を規定するとともに、支持部材５０における枠状の上辺箇所を規定している（図５、図７および図８等参照）。その開口５９は、ローパスフィルタ３１の通り抜けを阻む大きさ寸法であって（図４等参照）、後述するように支持部材５０がローパスフィルタ３１に後方（撮影光軸ＯＡ方向の被写体側）から宛がわれた状態において、撮影光学系１２から撮像素子２２へと至る撮影光路を阻害することのない大きさ寸法とされている。なお、この押当辺部５１は、実施例１では、３つの光軸方向弾性部５３と左右方向弾性部５４と上下方向弾性部５５とにより部分的に切り欠かれている。
【００３４】
嵌込辺部５２は、押当辺部５１における左右方向の両側と上下方向の下側とにおいて、当該押当辺部５１の前後方向の前側となる前面に板状箇所が設けられて、すなわち当該板状箇所（嵌込辺部５２）が押当辺部５１に対して前側へと変位して形成されている。この嵌込辺部５２は、固定部材４０の取付凹所４４に嵌め込むことが可能な大きさ寸法および形状とされている。嵌込辺部５２は、押当辺部５１と協働して、全体に枠状の支持部材５０における枠状の左右辺箇所および下辺箇所を規定している（図５、図７および図８等参照）。この押当辺部５１と嵌込辺部５２とは、支持部材５０において、ローパスフィルタ３１（光学部材）に適合する環状（実施例１では矩形状）を呈し固定部材４０に固定される枠部として機能する。
【００３５】
また、嵌込辺部５２は、押当辺部５１が規定する開口５９よりも大きな開口部５２ａを規定している。その開口部５２ａは、ローパスフィルタ３１を受け入れることのできる大きさ寸法とされている。このため、支持部材５０では、前後方向前側から見ると、嵌込辺部５２の開口部５２ａの内方において、嵌込辺部５２と前後方向で段差を設けつつ押当辺部５１が内側へと突出する位置関係とされている。この支持部材５０では、押当辺部５１における当該突出箇所と上下方向の上側辺部とにより、開口部５２ａの内方へと突出するストッパ６１（図７においてドットを付した箇所）を形成している。このストッパ６１は、後述するように光学部材保持機構３２が組み付けられた状態、すなわちローパスフィルタ３１を受入凹所４３で受け入れた固定部材４０へと支持部材５０を宛がった状態において、ローパスフィルタ３１の裏面３１ａの縁部と撮影光軸ＯＡ方向で所定の間隔を置いて対向される（図１１参照）。その所定の間隔は、上記した状態において、ローパスフィルタ３１のストッパ６１（押当辺部５１が規定する開口５９）を経た脱落の防止を可能とするとともに、各光軸方向弾性部５３が塑性変形することを防止すべく撮影光軸ＯＡ方向の像面側（前後方向後側）への変位量を制限することを可能とする観点から設定する。
【００３６】
３つの光軸方向弾性部５３は、後述するように固定部材４０の受入凹所４３（貫通穴４１）に配したローパスフィルタ３１に撮影光軸ＯＡ方向へと押す力を付与するものであり、撮影光軸ＯＡ方向へと弾性変形可能とされている。この各光軸方向弾性部５３は、支持部材５０の枠部（押当辺部５１および嵌込辺部５２）が部分的に切り欠かれて形成されており、設けられた位置および姿勢が異なることを除くと互いに等しい構成とされている。
【００３７】
各光軸方向弾性部５３は、嵌込辺部５２に連続しつつ長方形状の開口５９（支持部材５０の内周縁部）の辺部に沿って伸びる変形基部分５３ａと、その先端箇所から開口５９の内方へ向けて突出する接触片部分５３ｂと、その接触片部分５３ｂから前後方向の前側へと突出する接触突起５３ｃと、を有する。その変形基部分５３ａは、無負荷状態では嵌込辺部５２と平行に伸びるとともに、接触片部分５３ｂ（接触突起５３ｃ）を嵌込辺部５２に対して撮影光軸ＯＡ方向へと変位させるように湾曲変形させる動作に抗する弾性力を発揮する所謂片持ちの板ばねとして形成されている。接触片部分５３ｂは、後述するように固定部材４０の受入凹所４３（貫通穴４１）に配したローパスフィルタ３１へと上下方向で宛がうことを可能とすべく、そのローパスフィルタ３１と撮影光軸ＯＡ方向（前後方向）で重なる位置へと突出して形成されている（図１０および図１１等参照）。
【００３８】
接触突起５３ｃは、光軸方向弾性部５３における嵌込辺部５２から伸びる先端部分としての接触片部分５３ｂ（光軸方向弾性部５３）において、ローパスフィルタ３１（その裏面３１ａ）へと当てられる箇所となる押当箇所を構成するものである。この接触突起５３ｃは、実施例１では、図７に示すように、半球状とされており、その径方向に沿う突出方向（撮影光軸ＯＡ方向）を含む断面で見ると半円形状とされている。すなわち、接触突起５３ｃは、先端部が曲面状とされており、後述するように固定部材４０の受入凹所４３（貫通穴４１）に配したローパスフィルタ３１とは極めて小さな面（理論上は点）で当たることとなる。なお、ここで半円状とは、正確に半分である場合だけを指すものではなく、円形の一部である場合も含むものを言う。また、円形とは、真円（中心から所定の半径の軌跡で形成される）である場合だけを指すものではなく、湾曲した線で全体として丸く囲むものであればよい。
【００３９】
この各光軸方向弾性部５３は、図７および図８に示すように、実施例１では、撮影光軸ＯＡに直交する方向（左右方向および上下方向を含む面に沿う方向）で見て、開口５９すなわち受入凹所４３に配したローパスフィルタ３１を取り囲むように３箇所に設けられている。そのうちの１つの光軸方向弾性部５３（以下では、個別に述べるときには第１光軸方向弾性部５３１ともいう）は、開口５９（支持部材５０の内周縁部）における左右方向右側であって上下方向上側に設けられている。その第１光軸方向弾性部５３１は、変形基部分５３ａが嵌込辺部５２から上下方向上側へ向けて伸びて、接触片部分５３ｂが左右方向左側へと突出されている。残りの２つのうちの１つの光軸方向弾性部５３（以下では、個別に述べるときには第２光軸方向弾性部５３２ともいう）は、開口５９（支持部材５０の内周縁部）における上下方向下側であって左右方向左側に設けられている。その第２光軸方向弾性部５３２は、変形基部分５３ａが嵌込辺部５２から左右方向左側へ向けて伸びて、接触片部分５３ｂが上下方向上側へと突出されている。残りの１つの光軸方向弾性部５３（以下では、個別に述べるときには第３光軸方向弾性部５３３ともいう）は、開口５９（支持部材５０の内周縁部）における左右方向左側であって上下方向下側に設けられている。その第３光軸方向弾性部５３３は、変形基部分５３ａが嵌込辺部５２から上下方向上側へ向けて伸びて、接触片部分５３ｂが左右方向右側へと突出されている。
【００４０】
それら各光軸方向弾性部５３では、上述したように、いずれも接触突起５３ｃが前後方向前側へと突出されており、その突出端が同一面上に存在している。その各接触突起５３ｃが存在される同一面は、後述するように固定部材４０の受入凹所４３（貫通穴４１）にローパスフィルタ３１が配されると、その裏面３１ａよりも前後方向前側に設定されている。このため、各光軸方向弾性部５３は、後述するように固定部材４０の受入凹所４３（貫通穴４１）に配されたローパスフィルタ３１の裏面３１ａに各接触突起５３ｃを宛がうと、変形基部分５３ａが弾性変形して接触突起５３ｃ（接触片部分５３ｂ）が前後方向後側へと変位される。
【００４１】
その各光軸方向弾性部５３は、図１０に示すように、後述するようにローパスフィルタ３１を固定部材４０の受入凹所４３（貫通穴４１）に配しつつ支持部材５０を宛がった状態（図５等参照）において、そのローパスフィルタ３１の重心位置３１Ｇを挟んで対向する位置関係となるように、支持部材５０（その枠部）における位置が設定されている。実施例１では、３つの光軸方向弾性部５３の接触突起５３ｃで上述した状態のローパスフィルタ３１の重心位置３１Ｇを取り囲むべく、その３つの接触突起５３ｃを結んで得られる三角形の内方に重心位置３１Ｇが存在するように各光軸方向弾性部５３の支持部材５０（枠部）における位置が設定されている。
【００４２】
左右方向弾性部５４は、後述するように固定部材４０の受入凹所４３（貫通穴４１）に配したローパスフィルタ３１に撮影光軸ＯＡに直交する左右方向へと押す力を付与するものであり、左右方向へと弾性変形可能とされている。この左右方向弾性部５４は、図７および図８に示すように、支持部材５０の枠部（押当辺部５１および嵌込辺部５２）が部分的に切り欠かれて形成されている。
【００４３】
左右方向弾性部５４は、開口５９（支持部材５０の内周縁部）における左右方向左側であって第３光軸方向弾性部５３３の左側で並列して設けられて、変形基部分５４ａと連結部分５４ｂと接触片部分５４ｃとを有する。変形基部分５４ａは、嵌込辺部５２に連続しつつ当該嵌込辺部５２よりも前側に変位された位置で長方形状の開口５９（支持部材５０の内周縁部）の辺部に沿って、嵌込辺部５２から上下方向に伸びて設けられている。この変形基部分５４ａは、無負荷状態では嵌込辺部５２と平行に伸びるとともに、連結部分５４ｂとともに接触片部分５４ｃ（後述する接触角部分５４ｄ）を嵌込辺部５２に対して左右方向へと変位させるように湾曲変形させる動作に抗する弾性力を発揮する所謂片持ちの板ばねとして形成されている。
【００４４】
その変形基部分５４ａの先端箇所に連結部分５４ｂが設けられている。その連結部分５４ｂは、当該先端箇所から開口５９の内方へ向けて左右方向右側へと伸びて設けられている。連結部分５４ｂは、後述するように接触片部分５４ｃ（後述する接触角部分５４ｄ）を固定部材４０の受入凹所４３（貫通穴４１）に配したローパスフィルタ３１（その外周面３１ｂ）へと左右方向で宛がうことを可能とすべく、変形基部分５４ａ（その先端箇所）と接触片部分５４ｃとを繋いでいる。
【００４５】
その接触片部分５４ｃは、連結部分５４ｂの先端箇所から前後方向の前側へと突出して設けられている。接触片部分５４ｃは、実施例１では、開口５９の内方側すなわち左右方向右側の内側面が、突出方向である前後方向で見た中間位置で最も内側（右側）へと突出されて接触角部分５４ｄを形成している。すなわち、接触片部分５４ｃは、内側面が上下方向に直交する断面で見ると内側（右側）へと突出する三角形状とされており（図８（ｂ）参照）、その頂角となる箇所で接触角部分５４ｄを形成している。このため、接触片部分５４ｃは、後述するように固定部材４０の受入凹所４３（貫通穴４１）に配したローパスフィルタ３１（その外周面３１ｂ）とは極めて小さな面（理論上は線）で当たることとなる。
【００４６】
その接触片部分５４ｃは、後述するように固定部材４０の受入凹所４３（貫通穴４１）にローパスフィルタ３１が配された状態において、後述する隙間３８（図１０参照）を考慮しつつ当該ローパスフィルタ３１の外周面３１ｂ（撮影光軸ＯＡを取り巻く環状の面（左右方向および上下方向と直交する面））が存在する位置よりも内方（右側）に接触角部分５４ｄを存在させるべく大きさ寸法および位置が設定されている。換言すると、その接触角部分５４ｄは、受入凹所４３におけるローパスフィルタ３１の位置（偏り）に拘らず、当該ローパスフィルタ３１の外周面３１ｂよりも内方（右側）に存在されている。また、接触片部分５４ｃは、実施例１では、開口５９の内方側すなわち左右方向右側の内側面における突出端部５４ｅ（前後方向の前側の端部）を、嵌込辺部５２の開口部５２ａよりも外側に存在させるべく大きさ寸法および位置が設定されている。この左右方向弾性部５４は、接触片部分５４ｃの接触角部分５４ｄを上下方向で見たローパスフィルタ３１（その外周面３１ｂ）の中間位置へと宛がうことができるように、支持部材５０（その枠部）における位置が設定されている。
【００４７】
上下方向弾性部５５は、開口５９（支持部材５０の内周縁部）における上下方向下側であって第２光軸方向弾性部５３２の左右方向右側に設けられて、変形基部分５５ａと連結部分５５ｂと接触片部分５５ｃとを有する。変形基部分５５ａは、嵌込辺部５２に連続しつつ当該嵌込辺部５２よりも前側に変位された位置で長方形状の開口５９（支持部材５０の内周縁部）の辺部に沿って、嵌込辺部５２から左右方向に伸びて設けられている。この変形基部分５５ａは、無負荷状態では嵌込辺部５２と平行に伸びるとともに、連結部分５５ｂとともに接触片部分５５ｃ（後述する接触角部分５５ｄ）を嵌込辺部５２に対して上下方向へと変位させるように湾曲変形させる動作に抗する弾性力を発揮する所謂片持ちの板ばねとして形成されている。
【００４８】
その変形基部分５５ａの先端箇所に連結部分５５ｂが設けられている。その連結部分５５ｂは、当該先端箇所から開口５９の内方へ向けて上下方向上側へと伸びて設けられている。連結部分５５ｂは、後述するように接触片部分５５ｃ（後述する接触角部分５５ｄ）を固定部材４０の受入凹所４３（貫通穴４１）に配したローパスフィルタ３１へと上下方向で宛がうことを可能とすべく、変形基部分５５ａ（その先端箇所）と接触片部分５５ｃとを繋いでいる。
【００４９】
その接触片部分５５ｃは、連結部分５５ｂの先端箇所から前後方向の前側へと突出して設けられている。接触片部分５５ｃは、実施例１では、開口５９の内方側すなわち上下方向上側の内側面が、突出された前後方向で見た中間位置で最も内側（上側）へと突出されて接触角部分５５ｄを形成している。すなわち、接触片部分５５ｃは、内側面が左右方向に直交する断面で見ると内側（上側）へと突出する三角形状とされており、その頂角となる箇所で接触角部分５５ｄを形成している。このため、接触片部分５５ｃは、後述するように固定部材４０の受入凹所４３（貫通穴４１）に配したローパスフィルタ３１（その外周面３１ｂ）とは極めて小さな面（理論上は線）で当たることとなる。
【００５０】
その接触片部分５５ｃは、後述するように固定部材４０の受入凹所４３（貫通穴４１）にローパスフィルタ３１が配された状態において、後述する隙間３８（図１０参照）を考慮しつつ当該ローパスフィルタ３１の外周面３１ｂが存在する位置よりも内方（上側）に接触角部分５５ｄを存在させるべく大きさ寸法および位置が設定されている。換言すると、その接触角部分５５ｄは、受入凹所４３におけるローパスフィルタ３１の位置（偏り）に拘らず、当該ローパスフィルタ３１の外周面３１ｂよりも内方（右側）に存在されている。また、接触片部分５５ｃは、実施例１では、開口５９の内方側すなわち上下方向上側の内側面における突出端部５５ｅ（前後方向の前側の端部）を、嵌込辺部５２の開口部５２ａよりも外側に存在させるべく大きさ寸法および位置が設定されている。この上下方向弾性部５５は、接触片部分５４ｃの接触角部分５４ｄを左右方向で見たローパスフィルタ３１（その外周面３１ｂ）の中間へと宛がうことができるように、支持部材５０（その枠部）における位置が設定されている。
【００５１】
３つの取付穴５６は、後述するように、ネジ部材３７により支持部材５０を固定部材４０に固定することを可能とするものであり、嵌込辺部５２（支持部材５０の後述する枠部）を貫通して設けられている。この各取付穴５６は、３つの光軸方向弾性部５３における変形基部分５３ａの嵌込辺部５２への接続箇所となる基端部分の近傍位置に設けられている。各取付穴５６は、支持部材５０を固定部材４０に固定するためのネジ部材３７の後述する軸部３７ｂを通すことを可能としつつそのネジ部材３７の後述する頭部３７ａを通すことを阻む内径寸法とされている。
【００５２】
２つの位置決め穴５７は、固定部材４０に対する支持部材５０の位置決めのために、嵌込辺部５２（支持部材５０の枠部）を貫通して設けられている。実施例１では、一方の位置決め穴５７が、左右方向弾性部５４および第３光軸方向弾性部５３３の嵌込辺部５２への接続箇所となる基端部分の近傍位置に設けられており、他方の位置決め穴５７が第１光軸方向弾性部５３１の嵌込辺部５２への接続箇所となる基端部分の近傍位置に設けられている。各位置決め穴５７は、固定部材４０の対応する位置決め突起４６（図６等参照）を通すことが可能とされている。なお、実施例１では、第１光軸方向弾性部５３１の近傍に存在する他方の位置決め穴５７が、長穴すなわち位置決め突起４６の外径寸法よりも一方向のみが大きくされた内径寸法とされており、位置決め突起４６が通される位置の自由度、すなわち支持部材５０の固定部材４０に対する調整代が確保されている。
【００５３】
ズレ止め突起５８は、両位置決め穴５７との協働により、固定部材４０に対する支持部材５０すなわちローパスフィルタ３１の位置ずれを防止するものである。このズレ止め突起５８は、前後方向前側へ向けて撮影光軸ＯＡ方向（前後方向）に突出されて形成されており、前後方向（撮影光軸ＯＡ方向）で見ると、上下方向の下側（貫通穴４１側）に向かうに連れて左右方向の幅寸法が大きくする台形状を呈している。ズレ止め突起５８は、固定部材４０のズレ止め凹所４７（図６等参照）へと挿入することが可能な大きさ寸法および形状とされている。
【００５４】
その支持部材５０の固定部材４０への取り付けのために３つのネジ部材３７を用いる（図５等参照）。この各ネジ部材３７は、図５に示すように、円板状の頭部３７ａと、そこよりも小さな外径寸法とされた長尺な円柱状の軸部３７ｂと、を有する。その頭部３７ａは、明確な図示は略すが、支持部材５０の取付穴５６（図７等参照）に通すことのできない外径寸法とされており、軸部３７ｂは、その取付穴５６に通すことのできる外径寸法とされている。その軸部３７ｂは、外周面にネジ山が設けられており、固定部材４０の３つのネジ穴４５（図６等参照）のネジ溝と噛み合わせることが可能とされている。
【００５５】
この光学部材保持機構３２では、以下のように光学部材としてのローパスフィルタ３１を、撮影光学系１２から撮像素子２２へと至る撮影光軸上で保持する。まず、ローパスフィルタ３１を、前後方向後側から固定部材４０の受入凹所４３（貫通穴４１）に挿入する（図９参照）。すると、図９に示すように、受入凹所４３（貫通穴４１）がローパスフィルタ３１に対して上述したように設定されていることから、ローパスフィルタ３１の撮影光軸ＯＡに直交する方向（上下方向および左右方向）、すなわちローパスフィルタ３１の外周面３１ｂと受入凹所４３（貫通穴４１）との間には隙間３８が形成される。換言すると、受入凹所４３では、隙間３８の分だけローパスフィルタ３１が撮影光軸ＯＡに直交する方向へと移動することが可能とされている。このとき、受入凹所４３では、前後方向の前側（撮影光軸ＯＡ方向の被写体側）の端部がフランジ部４２により規定されていることから、ローパスフィルタ３１の表面３１ｃ（裏面３１ａとは反対側の面）にフランジ部４２が当たることとなり、当該ローパスフィルタ３１が前後方向の前側へと抜け落ちることを防止している。
【００５６】
その固定部材４０に、図５、図１０、図１１に示すように、前後方向後側から支持部材５０を宛がう。このとき、支持部材５０では、嵌込辺部５２を固定部材４０の取付凹所４４に嵌め込み、２つの位置決め穴５７に固定部材４０の２つの位置決め突起４６を挿入させ、ズレ止め突起５８（図７等参照）を固定部材４０のズレ止め凹所４７に挿入する。これにより、固定部材４０およびローパスフィルタ３１に対する支持部材５０の位置が決定される。このとき、支持部材５０では、３つの光軸方向弾性部５３の変形基部分５３ａが弾性変形して接触片部分５３ｂが前後方向後側へと変位された状態で、その接触片部分５３ｂの接触突起５３ｃがローパスフィルタ３１の裏面３１ａに宛がわれる（図１０（ｂ）参照）。このため、各光軸方向弾性部５３は、ローパスフィルタ３１（その裏面３１ａ）に対して、前後方向前側すなわち撮影光軸ＯＡ方向で被写体側へと押す力を常に付与することとなる。
【００５７】
また、支持部材５０では、上述したように、左右方向弾性部５４の接触片部分５４ｃの突出端部５４ｅが嵌込辺部５２の開口部５２ａよりも外側に存在されているととともに、その接触片部分５４ｃの接触角部分５４ｄが受入凹所４３におけるローパスフィルタ３１の位置（偏り）に拘らず左右方向弾性部５４の接触角部分５４ｄがローパスフィルタ３１の外周面３１ｂよりも内方（右側）に存在されている。このため、左右方向弾性部５４では、支持部材５０を固定部材４０へと宛がう際、接触片部分５４ｃ（その突出端部５４ｅと接触角部分５４ｄとの間の傾斜面）がローパスフィルタ３１（その隅部）に当たることにより、変形基部分５４ａが弾性変形して接触片部分５４ｃが外方（左側）に変位される（図１０（ａ）参照）。その後、接触片部分５４ｃがローパスフィルタ３１（その外周面３１ｂ）の外方へと移動して、変形基部分５４ａが弾性変形した状態を維持しつつ接触片部分５４ｃの接触角部分５４ｄがローパスフィルタ３１の外周面３１ｂに左側から宛がわれる（図１０（ａ）参照）。このため、左右方向弾性部５４は、ローパスフィルタ３１（その外周面３１ｂ）に対して、左右方向（撮影光軸ＯＡと直交する方向（実施例１ではこれを第１方向とする））で右側へと押す力を常に付与することとなる。
【００５８】
さらに、支持部材５０では、上述したように、上下方向弾性部５５の接触片部分５５ｃの突出端部５５ｅが嵌込辺部５２の開口部５２ａよりも外側に存在されているととともに、その接触片部分５５ｃの接触角部分５５ｄが受入凹所４３におけるローパスフィルタ３１の位置（偏り）に拘らず上下方向弾性部５５の接触角部分５５ｄがローパスフィルタ３１の外周面３１ｂよりも内方（上側）に存在されている。このため、上下方向弾性部５５では、支持部材５０を固定部材４０へと宛がう際、接触片部分５５ｃ（その突出端部５５ｅと接触角部分５５ｄとの間の傾斜面）がローパスフィルタ３１（その隅部）に宛がわれることにより、変形基部分５５ａが弾性変形して接触片部分５５ｃが外方（下側）に変位される（図１０（ａ）参照）。その後、接触片部分５５ｃがローパスフィルタ３１（その外周面３１ｂ）の外方へと移動して、変形基部分５５ａが弾性変形した状態を維持しつつ接触片部分５５ｃの接触角部分５５ｄがローパスフィルタ３１の外周面３１ｂに下側から宛がわれる（図１０（ａ）参照）。このため、上下方向弾性部５５は、ローパスフィルタ３１（その外周面３１ｂ）に対して、上下方向（撮影光軸ＯＡと直交する方向（実施例１ではこれを第２方向とする））で上側へと押す力を常に付与することとなる。
【００５９】
このため、実施例１では、左右方向弾性部５４と上下方向弾性部５５とは、ローパスフィルタ３１（光学部材）に対して、撮影光軸ＯＡと直交する方向へと押す力を付与する直交方向弾性部として機能する。また、左右方向弾性部５４は、撮影光軸ＯＡと直交する第１方向へと押す力をローパスフィルタ３１（光学部材）に付与する第１直交方向弾性部として機能し、上下方向弾性部５５は、撮影光軸ＯＡおよび第１方向と直交する第２方向へと押す力をローパスフィルタ３１（光学部材）に付与する第２直交方向弾性部として機能する。
【００６０】
加えて、支持部材５０では、明確な図示は略すが３つの取付穴５６が固定部材４０の３つのネジ穴４５と撮影光軸ＯＡ方向で対向するとともに、押当辺部５１で規定するストッパ６１がローパスフィルタ３１の裏面３１ａの縁部と撮影光軸ＯＡ方向で間隔を置いて対向する（図１１参照）。
【００６１】
上記した状態において、支持部材５０の３つの取付穴５６にネジ部材３７の軸部３７ｂを通しつつその頭部３７ａを各取付穴５６の周縁部に押し当てた状態で、当該軸部３７ｂを固定部材４０の３つのネジ穴４５に噛み合わせることにより、支持部材５０が固定部材４０に固定される（図５等参照）。これにより、光学部材保持機構３２が組み付けられる。このため、ネジ部材３７は、支持部材５０（その枠部）を固定部材４０に固定する取付部材として機能する。その固定部材４０は、固定枠３３に固定される（図４参照）。このとき、固定部材４０には、撮像素子２２を保持する保持板３５が取り付けられる（図４参照）。このため、固定部材４０には、保持板３５を介して撮像素子２２が取り付けられている。これにより、撮像ユニット３０では、固定部材４０と支持部材５０の間で光学部材としてのローパスフィルタ３１を支持する光学部材保持機構３２により、当該ローパスフィルタ３１を撮影光学系１２から撮像素子２２へと至る撮影光軸上で保持している（図４参照）。
【００６２】
この撮像ユニット３０（光学部材保持機構３２）では、固定部材４０の受入凹所４３において、表面３１ｃがフランジ部４２に当てられたローパスフィルタ３１に対して、３つの光軸方向弾性部５３が撮影光軸ＯＡ方向で被写体側（前後方向前側）へと押す力を常に付与していることから、ローパスフィルタ３１が撮影光軸ＯＡ方向でフランジ部４２（受入凹所４３）に押し当てられることにより、当該ローパスフィルタ３１の撮影光軸ＯＡ方向での位置が決定されている（図１０参照）。
【００６３】
また、撮像ユニット３０（光学部材保持機構３２）では、固定部材４０の受入凹所４３において、外周面３１ｂが受入凹所４３（貫通穴４１）と対向されたローパスフィルタ３１に対して、左右方向弾性部５４が左右方向（撮影光軸ＯＡと直交する第１方向）で右側へと押す力を常に付与していることから、ローパスフィルタ３１が受入凹所４３内で右側へと押し当てられることにより、当該ローパスフィルタ３１の左右方向（第１方向）での位置が決定されている（図１０参照）。
【００６４】
さらに、撮像ユニット３０（光学部材保持機構３２）では、固定部材４０の受入凹所４３において、外周面３１ｂが受入凹所４３（貫通穴４１）と対向されたローパスフィルタ３１に対して、上下方向弾性部５５が上下方向（撮影光軸ＯＡおよび第１方向と直交する第２方向）で上側へと押す力を常に付与していることから、ローパスフィルタ３１が受入凹所４３内で上側へと押し当てられることにより、当該ローパスフィルタ３１の上下方向（第２方向）での位置が決定されている（図１０参照）。
【００６５】
加えて、撮像ユニット３０（光学部材保持機構３２）では、上記したように受入凹所４３に位置決めされたローパスフィルタ３１の裏面３１ａの縁部に、支持部材５０の押当辺部５１で規定するストッパ６１を撮影光軸ＯＡ方向で間隔を置いて対向させている（図１１参照）。このため、撮像ユニット３０（光学部材保持機構３２）に意図しない力が付与されることにより、３つの光軸方向弾性部５３からの押す力に抗してローパスフィルタ３１が撮影光軸ＯＡ方向の像面側（前後方向後側）へと変位した場合であっても、そのローパスフィルタ３１の裏面３１ａ（その縁部）に支持部材５０のストッパ６１が接触する。
【００６６】
この本発明に係る撮像ユニット３０（それが設けられたデジタルカメラ１０）では、支持部材５０の枠部（押当辺部５１および嵌込辺部５２）を固定部材４０に固定するとともに、その支持部材５０の光軸方向弾性部５３と直交方向弾性部（実施例１では左右方向弾性部５４および上下方向弾性部５５）とで固定部材４０の受入凹所４３に配した光学素子としてのローパスフィルタ３１に撮影光軸ＯＡ方向へと押す力と撮影光軸ＯＡに直交する方向へと押す力とを付与するものであることから、光軸方向弾性部５３および当該直交方向弾性部ではローパスフィルタ３１のみを支持することのできる強度を確保すればよいので、光軸方向弾性部５３および当該直交方向弾性部の大きさ寸法の増大を招くことを防止しつつローパスフィルタ３１を適切に支持することができる。
【００６７】
また、撮像ユニット３０（デジタルカメラ１０）では、固定部材４０の受入凹所４３に配したローパスフィルタ３１（光学素子）に支持部材５０の光軸方向弾性部５３で撮影光軸ＯＡ方向に押す力を付与するとともに、その直交方向弾性部（左右方向弾性部５４および上下方向弾性部５５）で撮影光軸ＯＡに直交する方向に押す力を付与して、受入凹所４３に対してローパスフィルタ３１を撮影光軸ＯＡ方向および撮影光軸ＯＡに直交する方向へと押し当てることで当該ローパスフィルタ３１を支持するものであることから、光軸方向弾性部５３および当該直交方向弾性部ではローパスフィルタ３１を受入凹所４３に押し当てることのできる強度を確保すればよいので、より効果的に光軸方向弾性部５３および当該直交方向弾性部の大きさ寸法の増大を招くことを防止しつつローパスフィルタ３１を適切に支持することができる。
【００６８】
さらに、撮像ユニット３０（デジタルカメラ１０）では、固定部材４０の受入凹所４３に配したローパスフィルタ３１（光学素子）に対して、支持部材５０の光軸方向弾性部５３により受入凹所４３に対してローパスフィルタ３１を撮影光軸ＯＡ方向へと押し当てるとともに、支持部材５０の直交方向弾性部（左右方向弾性部５４および上下方向弾性部５５）により受入凹所４３に対してローパスフィルタ３１を撮影光軸ＯＡに直交する方向へと押し当てるものであることから、光軸方向弾性部５３ではローパスフィルタ３１の受入凹所４３に対する撮影光軸ＯＡ方向への移動を防止することのできる強度を確保すればよく、直交方向弾性部ではローパスフィルタ３１の受入凹所４３に対する撮影光軸ＯＡと直交する方向への移動を防止することのできる強度を確保すればよいので、より効果的に光軸方向弾性部５３および当該直交方向弾性部の大きさ寸法の増大を招くことを防止しつつローパスフィルタ３１を適切に支持することができる。
【００６９】
撮像ユニット３０（デジタルカメラ１０）では、ローパスフィルタ３１（光学素子）に撮影光軸ＯＡ方向および撮影光軸ＯＡに直交する方向へと押す力を付与する光軸方向弾性部５３および直交方向弾性部（左右方向弾性部５４および上下方向弾性部５５）を設けた支持部材５０を、高い剛性を確保することの容易な枠部（押当辺部５１および嵌込辺部５２）で固定部材４０に固定するものであることから、簡易な構成で支持部材５０の固定部材４０への取り付け強度を確保することができ、より適切にローパスフィルタ３１を支持することができる。
【００７０】
撮像ユニット３０（デジタルカメラ１０）では、光軸方向弾性部５３および直交方向弾性部（左右方向弾性部５４および上下方向弾性部５５）を、ローパスフィルタ３１を受入凹所４３に押し当てることのできる強度を確保すればよいものとすることができるので、それらを支える支持部材５０の枠部すなわち支持部材５０に求める強度の増大も防止することができる。このため、支持部材５０の大きさ寸法の増大を招くことを防止することができ、より小型化に寄与することができる。
【００７１】
撮像ユニット３０（デジタルカメラ１０）では、ローパスフィルタ３１（光学素子）に対して撮影光軸ＯＡ方向へと押す力を付与する各光軸方向弾性部５３が、そのローパスフィルタ３１の重心位置３１Ｇを挟んで対向する位置関係で設けられていることから、ローパスフィルタ３１をより安定して支持することができる。
【００７２】
撮像ユニット３０（デジタルカメラ１０）では、ローパスフィルタ３１（光学素子）に対して撮影光軸ＯＡ方向へと押す力を付与する各光軸方向弾性部５３が、ローパスフィルタ３１の重心位置３１Ｇを取り囲むべく３つの接触突起５３ｃを結んで得られる三角形の内方に重心位置３１Ｇが存在するように支持部材５０（その枠部）における位置が設定されていることから、ローパスフィルタ３１をバランスよく支持することができる。
【００７３】
撮像ユニット３０（デジタルカメラ１０）では、支持部材５０の枠部（押当辺部５１および嵌込辺部５２）を、その３つの光軸方向弾性部５３における変形基部分５３ａの嵌込辺部５２への接続箇所となる基端部分の近傍位置に設けられた３つの取付穴５６を通したネジ部材３７により、固定部材４０に固定するものであることから、支持部材５０の枠部においてローパスフィルタ３１（光学素子）に撮影光軸ＯＡ方向に押す力を付与する３つの光軸方向弾性部５３を支える箇所、すなわち支持部材５０の枠部において３つの光軸方向弾性部５３からの力が作用する箇所の近傍を固定部材４０に固定することができるので、バランスよくローパスフィルタ３１を支持することができる。特に、実施例１では、３つの接触突起５３ｃを結んで得られる三角形の内方に重心位置３１Ｇが存在するように、支持部材５０における位置を設定した３つの光軸方向弾性部５３における基端部分の近傍位置を固定部材４０に固定していることから、よりバランスよくローパスフィルタ３１を支持することができる。
【００７４】
撮像ユニット３０（デジタルカメラ１０）では、ローパスフィルタ３１（光学素子）を固定部材４０の受入凹所４３において撮影光軸ＯＡに直交する方向へと押し当てる支持部材５０の直交方向弾性部として、左右方向（撮影光軸ＯＡと直交する第１方向）で右側へと押す力を付与する左右方向弾性部５４と、上下方向（撮影光軸ＯＡおよび第１方向と直交する第２方向）で上側へと押す力を付与する上下方向弾性部５５と、を設けていることから、より効率よくローパスフィルタ３１を支持することができ、より効果的に直交方向弾性部（左右方向弾性部５４および上下方向弾性部５５）の大きさ寸法の増大を招くことを防止することができる。
【００７５】
撮像ユニット３０（デジタルカメラ１０）では、撮影光軸ＯＡ方向へと押す力を付与する各光軸方向弾性部５３と、左右方向（撮影光軸ＯＡと直交する第１方向）で右側へと押す力を付与する左右方向弾性部５４と、上下方向（撮影光軸ＯＡおよび第１方向と直交する第２方向）で上側へと押す力を付与する上下方向弾性部５５と、を設けてローパスフィルタ３１（光学素子）を固定部材４０の受入凹所４３に押し当てるものであることから、より効率よくローパスフィルタ３１を支持することができるので、大型のローパスフィルタ３１（光学素子）を用いる場合であっても、大きさ寸法の増大を招くことを防止しつつ当該大型のローパスフィルタ３１（光学素子）を適切に支持することができる。このため、大型の撮像素子２２を搭載する場合であっても、大きさ寸法の増大を招くことなく対応することができる。
【００７６】
撮像ユニット３０（デジタルカメラ１０）では、各光軸方向弾性部５３が半球状の接触突起５３ｃをローパスフィルタ３１（光学素子）に宛がうものであることから、変形基部分５３ａ（光軸方向弾性部５３）での弾性変形の程度の差異に拘らず、極めて小さな面（理論上は点）で接触片部分５３ｂ（光軸方向弾性部５３）を受入凹所４３に配したローパスフィルタ３１（その裏面３１ａ）に宛がうことができ、各光軸方向弾性部５３による撮影光軸ＯＡ方向への押す力をローパスフィルタ３１に付与する態様を略等しいものとすることができる。このため、より安定してローパスフィルタ３１を支持することができる。
【００７７】
撮像ユニット３０（デジタルカメラ１０）では、光軸方向弾性部５３と左右方向弾性部５４と上下方向弾性部５５とを支持部材５０に設けるものであることから、単一の部材で受入凹所４３に配したローパスフィルタ３１に対して、撮影光軸ＯＡ方向の被写体側へと押す力と、左右方向（撮影光軸ＯＡと直交する第１方向）で右側へと押す力と、上下方向（撮影光軸ＯＡおよび第１方向と直交する第２方向）で上側へと押す力と、を付与することができるので、より小さな構成でローパスフィルタ３１を適切に支持することができる。
【００７８】
撮像ユニット３０（デジタルカメラ１０）では、受入凹所４３内で位置決めされたローパスフィルタ３１の裏面３１ａの縁部に、支持部材５０の押当辺部５１で規定するストッパ６１を撮影光軸ＯＡ方向で間隔を置いて対向させていることから、意図しない力が付与されることにより、各光軸方向弾性部５３からの押す力に抗してローパスフィルタ３１が撮影光軸ＯＡ方向の像面側（前後方向後側）へと変位した場合であっても、ローパスフィルタ３１の裏面３１ａ（その縁部）に支持部材５０のストッパ６１が接触させることができ、ローパスフィルタ３１が脱落することを防止することができる。
【００７９】
撮像ユニット３０（デジタルカメラ１０）では、ストッパ６１を構成する支持部材５０の押当辺部５１が内方に規定する長方形状の開口５９をローパスフィルタ３１の通り抜けを阻む大きさ寸法としていることから、ストッパ６１を裏面３１ａ（その縁部）に接触させることで、そのローパスフィルタ３１が脱落することをより確実に防止することができる。
【００８０】
撮像ユニット３０（デジタルカメラ１０）では、各光軸方向弾性部５３からの押す力に抗してローパスフィルタ３１が撮影光軸ＯＡ方向の像面側（前後方向後側）へと変位した場合には裏面３１ａ（その縁部）にストッパ６１を接触させてローパスフィルタ３１の脱落を防止できることから、各光軸方向弾性部５３での押す力（バネ力量）をローパスフィルタ３１を受入凹所４３へと撮影光軸ＯＡ方向で適切に押し当てることを可能とする観点から設定することができ、より効果的に大きさ寸法の増大を招くことを防止することができる。これは、本発明の撮像ユニット３０のようにストッパ６１を設けていない場合、各光軸方向弾性部（５３）での押す力（バネ力量）をローパスフィルタ３１の脱落を防止する観点から設定する必要があるので、各光軸方向弾性部（５３）の大きさ寸法を増大させる必要が生じることによる。換言すると、実施例１の撮像ユニット３０（デジタルカメラ１０）では、ローパスフィルタ３１を受入凹所４３へと撮影光軸ＯＡ方向で押し当てる役割を各光軸方向弾性部５３に担わせるとともに、ローパスフィルタ３１の脱落を防止する役割をストッパ６１に担わせることから、それぞれの小型化を容易なものとすることができる。
【００８１】
撮像ユニット３０（デジタルカメラ１０）では、各光軸方向弾性部５３からの押す力に抗してローパスフィルタ３１が撮影光軸ＯＡ方向の像面側（前後方向後側）へと変位した場合、裏面３１ａ（その縁部）にストッパ６１を接触させることでローパスフィルタ３１の撮影光軸ＯＡ方向の像面側（前後方向後側）への変位量を制限することができるので、各光軸方向弾性部５３が塑性変形することを防止することができる。このため、上述したような各光軸方向弾性部５３からの押す力に抗してローパスフィルタ３１を撮影光軸ＯＡ方向の像面側（前後方向後側）へと変位させる力が生じた場合であっても、当該力が解除されると再びもとの状態に復帰することができる。
【００８２】
撮像ユニット３０（デジタルカメラ１０）では、ストッパ６１を、支持部材５０における高い剛性を確保することの容易な枠部の押当辺部５１で規定しているので、簡易な構成でストッパ６１の剛性を確保することができ、大きさ寸法の増大を招くことなくローパスフィルタ３１の脱落防止の機能と各光軸方向弾性部５３の塑性変形を防止する機能とを具備させることができる。
【００８３】
撮像ユニット３０（デジタルカメラ１０）では、３つの光軸方向弾性部５３を互いに等しい構成としていることから、ローパスフィルタ３１を受入凹所４３へと撮影光軸ＯＡ方向で押し当てる力量を互いに等しいものとすることができ、より安定してローパスフィルタ３１を支持（保持）することができる。
【００８４】
撮像ユニット３０（デジタルカメラ１０）では、固定部材４０に左右方向に伸びる２辺と上下方向に伸びる２辺とを有する直方体形状を呈し隙間３８を置いてローパスフィルタ３１を受け入れることが可能な受入凹所４３を設けるとともに、その受入凹所４３に対してローパスフィルタ３１を左右方向（撮影光軸ＯＡと直交する第１方向）に押し当てるとともに上下方向（撮影光軸ＯＡおよび第１方向と直交する第２方向）に押し当てるものであることから、より安定してローパスフィルタ３１を支持（保持）することができる。
【００８５】
撮像ユニット３０（デジタルカメラ１０）では、安定してローパスフィルタ３１を支持することができることから、固定部材４０や支持部材５０に対してローパスフィルタ３１が移動することを防止することができるので、それらの相対的な移動に伴って固定部材４０や支持部材５０やローパスフィルタ３１が削れることに起因する塵（削りカス等）が生じることを防止することができ、その塵がローパスフィルタ３１に付着することに起因して画像品質が劣化することを防止することができる。
【００８６】
撮像ユニット３０（デジタルカメラ１０）では、隙間３８を置いて受入凹所４３でローパスフィルタ３１を受け入れることを可能としていることから、ローパスフィルタ３１の受入凹所４３への組み付け作業を容易なものとすることができる。
【００８７】
撮像ユニット３０（デジタルカメラ１０）では、受入凹所４３にローパスフィルタ３１を配した固定部材４０に前後方向後側から支持部材５０を宛がうだけで、その光軸方向弾性部５３と左右方向弾性部５４と上下方向弾性部５５とでローパスフィルタ３１を受入凹所４３に押し当てる状態とすることができるので、光学部材保持機構３２の組み付け作業を容易なものとすることができる。
【００８８】
撮像ユニット３０では、ローパスフィルタ３１を適切に支持しつつより効果的に大きさ寸法の増大を招くことを防止することができるので、全体の小型化延いてはデジタルカメラ１０の小型化に大きく寄与することができる。
【００８９】
したがって、本発明に係る撮像ユニット３０では、大きさ寸法の増大を招くことなく光学部材としてのローパスフィルタ３１を適切に支持することができる。
【実施例２】
【００９０】
次に、本発明の実施例２に係る撮像ユニット３０Ａについて、図１２を用いて説明する。この実施例２は、光学部材保持機構３２Ａの支持部材５０Ａの構成が異なる例である。この実施例２の撮像ユニット３０Ａは、基本的な構成は上記した実施例１の撮像ユニット３０と同様であることから、等しい構成の個所には同じ符号を付し、その詳細な説明は省略する。図１２は、実施例２の撮像ユニット３０Ａにおける光学部材保持機構３２Ａにより固定部材４０と支持部材５０Ａとでローパスフィルタ３１を支持する様子を前後方向後側から示す模式的な正面図である。なお、図１２では、理解容易のために、ローパスフィルタ３１にドットを付して示している。
【００９１】
実施例２に係る撮像ユニット３０Ａでは、図１２に示すように、実施例１の撮像ユニット３０と同様に、受入凹所４３にローパスフィルタ３１を配した固定部材４０に、支持部材５０Ａを３つのネジ部材３７で固定することにより、光学部材保持機構３２Ａが構成されてローパスフィルタ３１を支持する。その支持部材５０Ａでは、実施例１の支持部材５０と比較して、光軸方向弾性部５３Ａの数とその枠部における設定位置とが異なるものとされている。その各光軸方向弾性部５３Ａは、支持部材５０Ａの枠部における設定位置が異なることを除くと、上記した実施例１の支持部材５０の光軸方向弾性部５３と同様の構成とされている。
【００９２】
光軸方向弾性部５３Ａは、実施例２では、撮影光軸ＯＡに直交する方向（左右方向および上下方向を含む面に沿う方向）で見て、開口５９すなわち受入凹所４３に配したローパスフィルタ３１の重心位置３１Ｇを挟んで対向する位置関係で２箇所に設けられている。そのうちの１つの光軸方向弾性部５３Ａ（以下では、個別に述べるときには第１光軸方向弾性部５３Ａ１ともいう）は、開口５９（支持部材５０Ａの内周縁部）における左右方向右側であって上下方向上側に設けられている。その第１光軸方向弾性部５３Ａ１は、変形基部分５３ａが嵌込辺部５２から上下方向下側へ向けて伸びて、接触片部分５３ｂが左右方向左側へと突出されている。残りの１つの光軸方向弾性部５３Ａ（以下では、個別に述べるときには第２光軸方向弾性部５３Ａ２ともいう）は、開口５９（支持部材５０Ａの内周縁部）における左右方向左側であって上下方向下側に設けられている。その第２光軸方向弾性部５３Ａ２は、変形基部分５３ａが嵌込辺部５２から上下方向上側へ向けて伸びて、接触片部分５３ｂが左右方向右側へと突出されている。
【００９３】
それら両光軸方向弾性部５３Ａでは、接触突起５３ｃが前後方向前側へと突出されており、その突出端が同一面上に存在している。この両光軸方向弾性部５３Ａは、固定部材４０の受入凹所４３（貫通穴４１）に配されたローパスフィルタ３１の裏面３１ａに各接触突起５３ｃを宛がうことで、変形基部分５３ａが弾性変形して接触突起５３ｃ（接触片部分５３ｂ）が前後方向後側へと変位される。
【００９４】
その両光軸方向弾性部５３Ａは、ローパスフィルタ３１を固定部材４０の受入凹所４３（貫通穴４１）に配しつつ支持部材５０Ａを宛がった状態において、２つの光軸方向弾性部５３Ａの接触突起５３ｃを結んで得られる直線上に当該ローパスフィルタ３１の重心位置３１Ｇが存在するように両光軸方向弾性部５３Ａの支持部材５０Ａ（枠部）における位置が設定されている。
【００９５】
この撮像ユニット３０Ａ（光学部材保持機構３２Ａ）では、固定部材４０の受入凹所４３において、表面３１ｃがフランジ部４２に当てられたローパスフィルタ３１に対して、２つの光軸方向弾性部５３Ａが撮影光軸ＯＡ方向で被写体側（前後方向前側）へと押す力を常に付与していることから、ローパスフィルタ３１が撮影光軸ＯＡ方向でフランジ部４２に押し当てられることにより、当該ローパスフィルタ３１の撮影光軸ＯＡ方向での位置が決定されている。
【００９６】
また、撮像ユニット３０Ａ（光学部材保持機構３２Ａ）では、固定部材４０の受入凹所４３において、外周面３１ｂが受入凹所４３（貫通穴４１）と対向されたローパスフィルタ３１に対して、左右方向弾性部５４が左右方向（撮影光軸ＯＡと直交する第１方向）で右側へと押す力を常に付与していることから、ローパスフィルタ３１が受入凹所４３内で右側へと押し当てられることにより、当該ローパスフィルタ３１の左右方向（第１方向）での位置が決定されている。
【００９７】
さらに、撮像ユニット３０Ａ（光学部材保持機構３２Ａ）では、固定部材４０の受入凹所４３において、外周面３１ｂが受入凹所４３（貫通穴４１）と対向されたローパスフィルタ３１に対して、上下方向弾性部５５が上下方向（撮影光軸ＯＡおよび第１方向と直交する第２方向）で上側へと押す力を常に付与していることから、ローパスフィルタ３１が受入凹所４３内で上側へと押し当てられることにより、当該ローパスフィルタ３１の上下方向（第２方向）での位置が決定されている。
【００９８】
加えて、撮像ユニット３０Ａ（光学部材保持機構３２Ａ）では、上記したように受入凹所４３に位置決めされたローパスフィルタ３１の裏面３１ａの縁部に、支持部材５０Ａの押当辺部５１で規定するストッパ６１を撮影光軸ＯＡ方向で間隔を置いて対向させている。このため、撮像ユニット３０Ａ（光学部材保持機構３２Ａ）に意図しない力が付与されることにより、２つの光軸方向弾性部５３Ａからの押す力に抗してローパスフィルタ３１が撮影光軸ＯＡ方向の像面側（前後方向後側）へと変位した場合であっても、そのローパスフィルタ３１の裏面３１ａ（その縁部）に支持部材５０Ａのストッパ６１が接触する。
【００９９】
この実施例２の撮像ユニット３０Ａ（それが設けられたデジタルカメラ１０）は、基本的には実施例１の撮像ユニット３０（デジタルカメラ１０）と等しい構成であることから、同様の効果を得ることができる。
【０１００】
それに加えて、実施例２の撮像ユニット３０Ａ（デジタルカメラ１０）では、ローパスフィルタ３１（光学素子）に対して撮影光軸ＯＡ方向へと押す力を付与する２つの光軸方向弾性部５３Ａが、そのローパスフィルタ３１の重心位置３１Ｇを挟んで対向する位置関係で設けられていることから、ローパスフィルタ３１をバランスよく支持することができる。
【０１０１】
また、撮像ユニット３０Ａ（デジタルカメラ１０）では、ローパスフィルタ３１（光学素子）に対して撮影光軸ＯＡ方向へと押す力を付与する２つの光軸方向弾性部５３Ａが、２つの接触突起５３ｃを結んで得られる直線上にローパスフィルタ３１の重心位置３１Ｇが存在するように支持部材５０Ａにおける位置が設定されていることから、ローパスフィルタ３１をよりバランスよく支持することができる。
【０１０２】
さらに、撮像ユニット３０Ａ（デジタルカメラ１０）では、２つの光軸方向弾性部５３Ａであってもローパスフィルタ３１をより安定して支持することを可能とするものであることから、より簡易な構成とすることができ、より効果的に大きさ寸法の増大を招くことを防止することができる。
【０１０３】
したがって、本発明に係る撮像ユニット３０Ａでは、大きさ寸法の増大を招くことなく光学部材としてのローパスフィルタ３１を適切に支持することができる。
【０１０４】
なお、上記した実施例２では、ローパスフィルタ３１（光学素子）に対して撮影光軸ＯＡ方向へと押す力を付与する２つの光軸方向弾性部５３Ａが、２つの接触突起５３ｃを結んで得られる直線上にローパスフィルタ３１の重心位置３１Ｇが存在するように支持部材５０Ａにおける位置が設定されていたが、ローパスフィルタ３１をよりバランスよく支持することを可能とするものであれば、厳密な意味で２つの接触突起５３ｃを結んで得られる直線上にローパスフィルタ３１の重心位置３１Ｇが存在するものではなくてもよい。
【０１０５】
なお、上記した各実施例では、本発明に係る撮像ユニットの一例としての撮像ユニット３０、３０Ａについて説明したが、撮影光学系から撮像素子に至る撮影光路上に光学部材を設ける撮像ユニットであって、前記撮像素子が取り付けられる固定部材と、前記光学部材を前記固定部材との間で支持する支持部材と、を備え、前記固定部材は、撮影光軸方向で前記光学部材と当たることを可能としつつ撮影光軸に直交する方向で該光学部材を取り囲んで該光学部材を受け入れる受入凹所を有し、前記支持部材は、前記光学部材に適合する環状を呈し前記固定部材に固定される枠部と、該枠部に対して撮影光軸方向へと弾性変形可能に該枠部から伸びる少なくとも１つの光軸方向弾性部と、前記枠部に対して撮影光軸に直交する方向へと弾性変形可能に該枠部から伸びる少なくとも１つの直交方向弾性部と、を有し、前記光軸方向弾性部は、前記光学部材が前記受入凹所に配された状態において、前記支持部材側から前記光学部材を押し、前記直交方向弾性部は、前記光学部材が前記受入凹所に配された状態において、撮影光軸に直交する方向から前記光学部材を押すことを特徴とする撮像ユニットであればよく、上記した各実施例に限定されるものではない。
【０１０６】
また、上記した各実施例では、直交方向弾性部としての左右方向弾性部５４がローパスフィルタ３１に付与する押す力の第１方向と、上下方向弾性部５５がローパスフィルタ３１に付与する押す力の第２方向と、が互いに直交するものとされていたが、第１方向と第２方向とは、撮影光軸ＯＡに直交する面に沿う方向で互いに傾斜を為す関係とされていればよく、上記した各実施例に限定されるものではない。
【０１０７】
さらに、上記した各実施例では、直交方向弾性部として左右方向弾性部５４と上下方向弾性部５５とを設けていたが、受入凹所４３に対して撮影光軸ＯＡに直交する方向へとローパスフィルタ３１を押し当てることで当該ローパスフィルタ３１の撮影光軸ＯＡに直交する方向での位置決めをすべく撮影光軸ＯＡに直交する方向に弾性変形可能であれば、個数、付与する押す力の方向および構成は適宜設定すればよく、上記した各実施例に限定されるものではない。
【０１０８】
上記した各実施例では、３つの光軸方向弾性部５３もしくは２つの光軸方向弾性部５３Ａを設けていたが、受入凹所４３に対して撮影光軸ＯＡ方向へとローパスフィルタ３１を押し当てることで当該ローパスフィルタ３１の撮影光軸ＯＡ方向での位置決めをすべく撮影光軸ＯＡ方向に弾性変形可能であれば、個数および構成は適宜設定すればよく、上記した各実施例に限定されるものではない。
【０１０９】
上記した各実施例では、各光軸方向弾性部５３（５３Ａ）が、ローパスフィルタ３１を固定部材４０の受入凹所４３（貫通穴４１）に配しつつ支持部材５０を宛がった状態において、そのローパスフィルタ３１の重心位置３１Ｇを挟んで対向する位置関係となるように支持部材５０（その枠部）における位置が設定されていたが、撮影光軸ＯＡ方向に弾性変形可能であって弾性変形した状態で光学部材（ローパスフィルタ３１）の裏面（３１ａ）に宛がわれるものであればよく、上記した各実施例に限定されるものではない。
【０１１０】
上記した各実施例では、各光軸方向弾性部５３（５３Ａ）に半球状の接触突起５３ｃを設けていたが、弾性変形した状態で各光軸方向弾性部５３（５３Ａ）が光学部材（ローパスフィルタ３１）の裏面（３１ａ）へと宛がわれるものであればよく、上記した各実施例に限定されるものではない。
【０１１１】
上記した各実施例では、デジタルカメラ１０に設けられて構成された撮像ユニット３０、３０Ａを示していたが、撮影光学系により形成される被写体像を撮像素子で取得するものであって撮影光学系から撮像素子に至る撮影光路上に光学素子を設けるものであれば、撮影光学系と撮像素子とが筐体に収容され当該筐体が撮像装置本体に着脱自在とされた撮像ユニットであってもよく、撮影光学系を保持する各筒状部が着脱可能とされた撮像装置（デジタルカメラ）の筐体（撮像装置本体）に設けられる撮像ユニットであってもよく、上記した各実施例に限定されるものではない。
【０１１２】
上記した各実施例では、撮影光学系１２から撮像素子２２へと至る撮影光路上で支持する光学部材としてローパスフィルタ３１を示していたが、撮影光学系１２から撮像素子２２へと至る撮影光路上に設けられる光学部材であれば、赤外線カットフィルタであってよく、他の光学部材であってもよく、上記した各実施例に限定されるものではない。
【０１１３】
上記した各実施例では、デジタルカメラ１０に撮像ユニット３０、３０Ａを搭載していたが、撮影光学系により形成される被写体像を撮像素子で取得するものであって撮影光学系から撮像素子に至る撮影光路上に光学素子を設ける電子機器であれば、カメラ機能を組み込んだＰＤＡ（ｐｅｒｓｏｎａｌ  ｄａｔａ  ａｓｓｉｓｔａｎｔ）や携帯電話機等の携帯型情報端末装置としての電子機器であっても本発明に係る撮像ユニットの構成を適用することができ、上記した各実施例に限定されるものではない。これは、このような携帯型情報端末装置も外観は若干異にするもののデジタルカメラ１０と実質的に全く同様の機能・構成を含んでいるものが多いことによる。同様に、本発明に係る撮像ユニットの構成を画像入力装置としての電子機器に採用してもよい。
【０１１４】
以上、本発明の撮像ユニットを各実施例に基づき説明してきたが、具体的な構成については各実施例に限られるものではなく、本発明の要旨を逸脱しない限り、設計の変更や追加等は許容される。また、構成部材の数、位置、形状等は各実施例に限定されず、本発明を実施する上で好適な数、位置、形状等にすることができる。
【符号の説明】
【０１１５】
１０  （撮像装置の一例としての）デジタルカメラ
１２  撮影光学系
２２  撮像素子
３０、３０Ａ  撮像ユニット
３１  （光学部材の一例としての）ローパスフィルタ
３１ａ  裏面
３１ｂ  外周面
３１Ｇ  重心位置
４０  固定部材
４３  受入凹所
５０、５０Ａ  支持部材
５１  （一例としての枠部を構成する）押当辺部
５２  （一例としての枠部を構成する）嵌込辺部
５３、５３Ａ  光軸方向弾性部
５３ｃ  （押当箇所の一例としての）接触突起
５４  （直交方向弾性部の一例としての）左右方向弾性部
５５  （直交方向弾性部の一例としての）上下方向弾性部
６１  ストッパ
ＯＡ  撮影光軸
【先行技術文献】
【特許文献】
【０１１６】
【特許文献１】特開２００３−２４４４９２号公報
【図１】
2014056224.tif 000003
【図２】
2014056224.tif 000004
【図３】
2014056224.tif 000005
【図４】
2014056224.tif 000006
【図５】
2014056224.tif 000007
【図６】
2014056224.tif 000008
【図７】
2014056224.tif 000009
【図８】
2014056224.tif 000010
【図９】
2014056224.tif 000011
【図１０】
2014056224.tif 000012
【図１１】
2014056224.tif 000013
【図１２】
2014056224.tif 000014